(57)【要約】      （修正有）【課題】敷設畳と床面との間に全方向調湿促進空間を形成することで、畳自体が保有する吸湿作用と放湿作用による調湿効果を積極的に発揮させる畳の調湿敷設構造を提供する。【解決手段】多数の通気孔１を有する多孔板に多数の稜線部３と谷線部４とを交互平行かつ等高に多列形成して多孔波板５を作り、この多孔波板５における多列の各稜線部３に非伸縮性の通気不織布６を重合して張設固着することで、通常の畳下荷重を受けた多列の各稜線部３同士の拡がりを通気不織布６で阻止した波状多孔通気材９となし、床面１０に敷いた調湿促進シート１０Ａの上面と畳裏面１２との間に波状多孔通気材９を介在させて畳１１を敷設することで、波状多孔通気材９が保有する全方向通気空間を調湿促進シート１０Ａの調湿促進作用により、全方向調湿促進空間１３となし得た。【選択図】図１
0003199534.tif 000002
【実用新案登録請求の範囲】
【請求項１】
多数の通気孔を有する多孔板に多数の直線状稜線部と直線状谷線部とを交互平行かつ等
高に多列形成して横断面ほぼ正弦波状の多孔波板を作り、この多孔波板における前記多数
の稜線部に非伸縮性の通気不織布を重合張設して各稜線部と通気不織布とを固着すること
で、通常の畳下荷重では各稜線部同士の潰れ拡がりを前記不織布で阻止した波状多孔通気
材を得る一方、床面に敷いた調湿促進シートの上面と畳裏面との間に前記波状多孔通気材
を介在させて畳を敷設することで、波状多孔通気材が保有する全方向通気空間を前記調湿
促進シートの調湿促進作用により、全方向調湿促進空間となしたことを特徴とする畳の調
湿敷設構造。
【考案の詳細な説明】
【技術分野】
【０００１】
この考案は、床面に敷いた調湿促進シートの上面と畳裏面との間に前記波状多孔通気材
を介在させて畳を敷設することで、畳下に積極的に調湿可能な全方向調湿促進空間を満遍
なく形成し、畳自体が保有する吸湿作用と放湿作用による調湿効果を最大限に発揮させ得
る畳の調湿敷設構造に関する。
【背景技術】
【０００２】
近年、住宅の高気密化が進み、畳を敷く床面がベニヤ合板を隙間無く敷き詰めたり、コ
ンクリ打ち放し床や、モルタル仕上げ床等の密閉構造の床面が多くなり、これら各床面に
畳をそのまま敷設した場合、梅雨時などには、床面に極く近い畳裏面や裏縁部分は、湿気
を帯び易く、一端湿気を帯びると、この湿気放散に困難を極め、カビの発生原因となり、
極めて不衛生であるし、多少ではあるが悪臭の原因にもなる。
【０００３】
このため、従来、特開２０１３−２２４５２４号公報（特許文献１）記載のように、多
数の稜線部と谷線部とを交互平行かつ等高に多列形成した多孔波板の各稜線部に非伸縮性
の通気不織布を重合して張設固着することで、通常の畳下荷重を受けた多列の各稜線部同
士の拡がりを前記通気不織布で阻止した波状多孔通気材となし、この通気材を床面と畳裏
面との間に介在させて畳を敷設することで、この畳の裏面と床面との間に前記波状多孔通
気材が保有する全方向通気空間を形成した畳の調湿敷設構造が周知である。
【０００４】
この特許文献１は本件出願人が先に提案した発明であり、この文献１には前記波状多孔
通気材が保有する全方向通気空間を使用中でも畳下に継続して形成でき、現用一般の畳が
保有する吸湿・放湿作用による調湿効果を発揮させ得るという記載が有るが、上記全方向
通気空間を積極的に調湿可能な全方向調湿促進空間にしようとする着眼点と開発意図が文
献１の発明には最初から無かったので、畳下における上記全方向通気空間だけでは、吸湿
作用と放湿作用による調湿作用を積極的に行えないという本質的な問題点が有る。
【先行技術文献】
【特許文献】
【０００５】
【特許文献１】特開２０１３−２２４５２４号公報
【考案の概要】
【考案が解決しようとする課題】
【０００６】
この考案は、床面に敷いた調湿促進シートの上面と畳裏面との間に前記波状多孔通気材
を介在させて畳を敷設することで、上記通気材が保有する全方向通気空間を上記調湿促進
シートの調湿促進作用により、積極的に調湿可能な全方向調湿促進空間となし、畳自体が
保有する吸湿作用と放湿作用による調湿効果を調湿促進シートと共に積極的に発揮させ、
住宅の高気密化が進んだ現在の住環境にも充分対処可能にすることを目的とする。
【課題を解決するための手段】
【０００７】
本考案の目的は、多数の通気孔を有する熱可塑性多孔板に多数の直線状稜線部と直線状
谷線部とを交互平行かつ等高に多列形成して横断面ほぼ正弦波状の多孔波板を作り、この
多孔波板における前記多数の稜線部に非伸縮性の通気不織布を重合張設して各稜線部と通
気不織布とを固着することで、通常の畳下荷重では各稜線部同士の潰れ拡がりを前記不織
布で阻止した波状多孔通気材を得る一方、床面に敷いた調湿促進シートの上面と畳裏面と
の間に前記波状多孔通気材を介在させて畳を敷設することで、波状多孔通気材が保有する
全方向通気空間を前記調湿促進シートの調湿促進作用により、積極的に調湿可能な全方向
調湿促進空間となしたことで達成できた。
【考案の効果】
【０００８】
前記多数の稜線部に非伸縮性の通気不織布を重合固着することで、通常の畳下荷重では
各稜線部同士の潰れ拡がりを前記不織布で阻止した波状多孔通気材を得ると共に、床面に
敷いた調湿促進シートの上面と畳裏面との間に前記波状多孔通気材を介在させて畳を敷設
することで、波状多孔通気材が保有する前記全方向通気空間を調湿促進シートの調湿促進
作用により、積極的に調湿可能な全方向調湿促進空間となし、現用一般の畳が保有する吸
湿作用と放湿作用による調湿効果を前記調湿促進シートと共に積極的に発揮させ、住宅の
高気密化が進んだ現在の住環境にも充分対処可能になったという優れた効果が有る。
【図面の簡単な説明】
【０００９】
【図１】この考案の実施形態の一例を示す拡大断面図
【図２】この考案に用いる多孔板の一例を示す斜視図
【図３】この考案に用いる波状多孔通気材の一例を示す斜視図
【図４】図３に示すものの部分的拡大斜視図
【考案を実施するための形態】
【００１０】
先ず、この考案に用いる波状多孔通気材の具体例を図面と共に説明すると、図２のよう
に多数の通気孔１を満遍なく有するポリプロピレン等の熱可塑性硬質プラスチック多孔板
２に現用一般の加熱成形手段により、図３・図４のように高さ１０ｍｍ程度の多数の稜線
部３と谷線部４とを交互平行かつ等高に多列形成して上記各図のような多孔波板５を作り
、この多孔波板５における前記多列の各稜線部３に非伸縮性の通気不織布６を上記各図の
ように重合張設して橋絡固着することで、通常の畳下荷重を受けた多列の各稜線部３同士
の拡がりを前記通気不織布６で阻止した上記各図のような厚さ１ｍｍ程度の波状多孔通気
材９を得る。
【００１１】
この考案に用いる調湿促進シート１０Ａとしては、シリカゲルの粗い粉末等の吸湿作用
と放湿作用を有する調湿粉末材とか、木炭や竹炭等の調湿消臭粉末材を肉厚０．５ｍｍ〜
１ｍｍ程度の加熱接着性通気不織布の表面に満遍なく密に調湿可能に接着することで、そ
の接着面を手指で撫でると「ザラザラ」した感触の調湿粉末材定着面を形成した後、この
定着面に薄手通気不織布を被着した一般市販の調湿促進シート１０Ａを用いた。
【００１２】
次に、本考案による畳の調湿敷設構造を説明するが、以下の説明は、畳のサイズとして
、幅が８８ｃｍ程度・長さが１７６ｃｍ程度の現用一般サイズで、図１のように波状多孔
通気材９・調湿促進シート１０Ａと共に畳１１を床面１０に重合敷設した場合、その敷設
高さが畳周辺の回し縁や敷居の高さと面一になるように、本考案に用いる畳の厚さは、畳
厚約６０ｍｍの現用一般の畳よりも、上記通気材９とシート１０Ａの合計高さ１０ｍｍ程
度を差し引いた５０ｍｍ程度とした実施形態について述べる。
【００１３】
屋内に合板を敷設施工した密閉床面１０の上面に前記調湿促進シート１０Ａを敷いた後
、その上面と畳裏面１２との間に前記波状多孔通気材９を介在させて畳１１を敷設するこ
とで、上記通気材９が保有する全方向通気空間を上記シート１０Ａの吸湿作用と放湿作用
（調湿作用）により、積極的に調湿可能な全方向調湿促進空間１３となし得ると共に、こ
の全方向調湿促進空間１３は、上記図１のような畳下使用中でも継続形成できる。
【００１４】
すなわち、前記波状多孔通気材９に前記通常の畳下荷重が加わると、各稜線部３同士や
谷線部４同士には、それぞれ離隔する方向の拡開力が生じるが、この拡開力による稜線部
３同士や谷線部４同士の拡開離隔は、前記多列の各稜線部３同士間に図２・図３のように
張り渡して橋絡固着した非伸縮性の通気不織布６の張力で確実に阻止できたので、前記全
方向調湿促進空間１３は、上記図１のような畳下使用中でも継続形成でき、現用一般の畳
１１が保有する吸湿作用と放湿作用による調湿効果を上記調湿促進シート１０Ａと共に積
極的に発揮させ、畳下の湿気を吸湿したり、放散したりして積極的に調湿できるから、住
宅の高気密化が進んだ現在の住環境にも充分対処可能になった。
【００１５】
なお、本考案による前記波状多孔通気材の平面輪郭を敷設畳の平面輪郭に近似させれば
、通常「サブロク板」と称する現用一般のベニヤ板サイズとなるので、その製造管理・梱
包保管・運搬流通・販売購入・開梱使用・保守点検などのすべての面で扱い易くなり、価
格的にも有利になる。
【産業上の利用可能性】
【００１６】
本考案を実施できる床面は、前述したような密閉床面に限らず、木造一戸建の家屋等に
おける現用一般の通気間隙を有する通気床面に対しても、本考案は当然に利用できる。
【符号の説明】
【００１７】
１…通気孔          ６…通気不織布            １０Ａ…調湿促進シート
２…多孔板          ７…橋絡部                １２…畳裏面
３…稜線部          ８…固着部                １３…全方向調湿促進空間
４…谷線部          ９…波状多孔通気材
５…多孔波板      １０…密閉床面（通気床面）
【図１】
0003199534.tif 000003
【図２】
0003199534.tif 000004
【図３】
0003199534.tif 000005
【図４】
0003199534.tif 000006